(57)【要約】【課題】媒体の収納及び繰出を正常に行い得るようにする。【解決手段】一時保留部１５は、巻取処理及び巻戻処理において、受光信号が「暗」レベルとなってからの継続期間を表すタイマ変数ＴＥがしきい値ＳＫ１を超えた場合のみ、内テープ４１の遮光領域ＳＡが検出箇所Ｐ２に到達したと判断する。このため一時保留部１５は、内テープ４１の汚れ領域ＤＡを遮光領域ＳＡと誤検出する可能性を格段に低減でき、真に遮光領域ＳＡが検出箇所Ｐ２に到達した場合に、このことを正しく判断してドラム２２の回転を停止させ、内テープ４１及び外テープ３１の損傷を適切に防止することができる。【選択図】図８
2015225596.tif 000002
【特許請求の範囲】
【請求項１】
紙葉状の媒体が周側面に巻き付けられるドラムと、
前記ドラムの周囲に形成された走行経路に沿って走行し、前記ドラムの周側面に前記媒体を巻き付けるテープと、
前記テープの走行方向に関する端部近傍に設けられ、該テープに照射される光に対する応答特性が前記端部以外の通常領域と相違する相違領域と、
前記走行経路上に設定された検出箇所において、前記テープから光の照射に対する応答特性を検出する検出部と、
前記検出部による検出結果を基に、前記テープのうち使用により前記応答特性が変化した変化領域と区別して、前記相違領域が前記検出箇所に到達したか否かを判断する判断部と
を具えることを特徴とする媒体収納装置。
【請求項２】
前記判断部は、前記検出部による検出結果が所定の判断条件を満たすか否かを基に、前記テープのうち前記検出箇所に到達した部分が、前記相違領域又は前記変化領域の何れであるかを判断する
ことを特徴とする請求項１に記載の媒体収納装置。
【請求項３】
前記判断条件は、前記検出部により前記通常領域の場合と異なる前記応答特性が得られた期間が、所定の基準期間を超えることである
ことを特徴とする請求項２に記載の媒体収納装置。
【請求項４】
前記判断条件は、前記テープのうち前記検出部により前記通常領域の場合と異なる前記応答特性が得られた部分の長さが、所定の基準長さを超えることである
ことを特徴とする請求項２に記載の媒体収納装置。
【請求項５】
前記判断部は、前記判断条件が満たされない場合、前記テープのうち前記応答特性が前記通常領域と相違する部分の長さを表す相違長値を所定の通知対象に通知する
ことを特徴とする請求項４に記載の媒体収納装置。
【請求項６】
前記判断部は、前記判断条件が満たされない場合、前記テープのうち前記応答特性が前記通常領域と相違する部分の長さを表す相違長値を所定の記憶部に記憶する
ことを特徴とする請求項４に記載の媒体収納装置。
【請求項７】
前記相違長値は、所定の基準長さに対する、前記応答特性が前記通常領域と相違する部分の長さの割合である
ことを特徴とする請求項５又は請求項６に記載の媒体収納装置。
【請求項８】
前記相違領域は、前記テープに対し、前記媒体が前記ドラムに巻き付けられた場合の周方向に沿った長さよりも長い範囲に渡り形成されている
ことを特徴とする請求項２に記載の媒体収納装置。
【請求項９】
前記判断部は、前記判断条件が満たされない場合であって、且つ前記判断条件と異なる保守判断条件が満たされる場合、所定の通知対象に対し、前記テープの保守作業を促す通知を行う
ことを特徴とする請求項２に記載の媒体収納装置。
【請求項１０】
前記ドラムに巻き付けられた前記媒体の枚数を検出する枚数検出部
をさらに具え、
前記判断部は、前記判断条件が満たされる場合、さらに前記枚数検出部による前記媒体の枚数を検出した結果を用いる枚数判断条件を満たすか否かを基に、前記テープの前記相違領域が前記検出箇所に到達したか否かを判断する
ことを特徴とする請求項２に記載の媒体収納装置。
【請求項１１】
前記判断部は、前記判断条件が満たされ前記枚数判断条件が満たされなかった場合、所定の通知対象に対し、前記テープの保守作業を促す通知を行う
ことを特徴とする請求項１０に記載の媒体収納装置。
【請求項１２】
前記テープは、前記ドラムに前記媒体を巻き付け始める始端部と、当該ドラムに当該媒体を巻き付け終える終端部とに前記相違領域がそれぞれ設けられ、
前記判断部は、前記始端部の前記相違領域が前記検出部に到達したか否かを判断するための前記判断条件と、前記終端部の前記相違領域が前記検出部に到達したか否かを判断するための前記判断条件とを相違させる
ことを特徴とする請求項２に記載の媒体収納装置。
【請求項１３】
前記検出部は、前記テープの一面側から所定の検出光を照射し、その反対面側において前記テープを透過した前記検出光の強度を検出し、
前記テープは、前記相違領域における前記検出光の透過率が他の領域よりも低減されている
ことを特徴とする請求項１に記載の媒体収納装置。
【請求項１４】
利用者との間で取引される紙葉状の媒体が周側面に巻き付けられるドラムと、
前記ドラムの周囲に形成された走行経路に沿って走行し、前記ドラムの周側面に前記媒体を巻き付けるテープと、
前記テープの走行方向に関する端部近傍に設けられ、該テープに照射される光に対する応答特性が前記端部以外の通常領域と相違する相違領域と、
前記走行経路上に設定された検出箇所において、前記テープから光の照射に対する応答特性を検出する検出部と、
前記検出部による検出結果を基に、前記テープのうち使用により前記応答特性が変化した変化領域と区別して、前記相違領域が前記検出箇所に到達したか否かを判断する判断部と
を具えることを特徴とする媒体取引装置。
【発明の詳細な説明】
【技術分野】
【０００１】
本発明は媒体収納装置及び媒体取引装置に関し、例えば顧客との間で紙幣等の媒体を取引する現金自動預払機（ＡＴＭ）等に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになっている。
【０００３】
現金自動預払機としては、例えば顧客との間で紙幣の授受を行う紙幣入出金口と、投入された紙幣の金種及び真偽を鑑別する鑑別部と、投入された紙幣を一時的に保留する一時保留部と、金種ごとに紙幣を格納する紙幣収納庫とを有するものがある。
【０００４】
この現金自動預払機は、入金取引において、顧客により紙幣入出金口に紙幣が投入されると、投入された紙幣を鑑別部で鑑別し、正常紙幣と鑑別された紙幣を一時保留部で保留する一方、取引すべきでないと鑑別された紙幣を紙幣入出金口へ戻して顧客に返却する。続いて現金自動預払機は、入金金額を顧客に提示し、入金金額の確定及び取引の継続が指示されると、一時保留部に保留している紙幣を鑑別部へ搬送し、鑑別された金種に応じて各紙幣収納庫へ収納する。
【０００５】
一時保留部としては、例えば回転する円筒状のドラム及び２本の長いテープを有し、両テープの間に紙幣を挟んだ状態で当該ドラムの周囲に紙幣を巻き付けていくものが提案されている（例えば、特許文献１参照）。
【０００６】
各テープは、それぞれ所定のリールに巻き取られており、当該リールから引き出され、所定の走行経路に沿って走行した後、ドラムの周側面に到達する。各テープの始端部は、ドラムの周側面に重ねるように固定されている。また各テープの終端部は、各リールにそれぞれ固定されている。
【０００７】
この一時保留部は、紙幣を収納する場合、２本のテープの間に紙幣を挟んだ状態で、ドラムを所定の巻付方向に回転させることにより、当該ドラムの周側面に紙幣を順次巻き付け、収納していく。また一時保留部は、紙幣を繰り出す場合、ドラムを巻付方向と反対の巻戻方向へ回転させると共に各リールを回転させてテープを巻き取ることにより、ドラムの周側面から紙幣を順次引き剥がし、繰り出していく。
【０００８】
ところで各テープは、全体的に光透過率の高い樹脂材料等により構成されると共に、一方のテープにおける始端部近傍及び他方のテープにおける終端部近傍に、光透過率が低く遮光する遮光領域がそれぞれ形成されている。
【０００９】
さらに一時保留部には、各テープの走行経路上における所定の検出箇所に、当該テープが光を透過するか否かを検出するテープセンサがそれぞれ設けられており、このテープセンサによる検出結果を所定の制御部に通知する。
【００１０】
制御部は、この検出結果を基に、光の透過率が低いことを検出した場合、検出箇所にテープの始端部又は終端部が到達したと判断して、一時保留部におけるドラムやリールの回転を停止させる。これにより一時保留部は、テープに過大な張力が加えられることによる損傷を未然に防止することができる。
【先行技術文献】
【特許文献】
【００１１】
【特許文献１】特開２０１３−１９６４３２号公報（第５図等）
【発明の概要】
【発明が解決しようとする課題】
【００１２】
しかしながら一時保留部では、入金された紙幣が汚れていた場合、この汚れがテープに付着することがあり、紙幣の収納及び繰出が繰り返されることにより、汚れが蓄積していく可能性がある。このような場合、一時保留部のテープセンサは、テープのうち汚れが付着した部分が検出箇所に到達したときに、遮光領域の場合と同様、光の透過率が低いことを検出して制御部に通知することになる。
【００１３】
このとき制御部では、テープの汚れが付着した部分を遮光領域と誤認してしまい、ドラムやリールの回転を誤って停止させてしまう可能性がある。具体的には、例えばドラムにテープと共に巻き付けられた紙幣が残っているにも拘わらず、テープの始端部に到達したものと誤認して紙幣の繰出を途中で停止してしまうおそれがある。このような場合、現金自動預払機では、入金取引等を正常に継続できないため、金融機関の職員や保守作業員等による対処が必要となる、という問題があった。
【００１４】
本発明は以上の点を考慮してなされたもので、媒体の収納及び繰出を正常に行い得る媒体収納装置及び媒体取引装置を提案しようとするものである。
【課題を解決するための手段】
【００１５】
かかる課題を解決するため本発明の媒体収納装置においては、紙葉状の媒体が周側面に巻き付けられるドラムと、ドラムの周囲に形成された走行経路に沿って走行し、ドラムの周側面に媒体を巻き付けるテープと、テープの走行方向に関する端部近傍に設けられ、該テープに照射される光に対する応答特性が端部以外の通常領域と相違する相違領域と、走行経路上に設定された検出箇所において、テープから光の照射に対する応答特性を検出する検出部と、検出部による検出結果を基に、テープのうち使用により応答特性が変化した変化領域と区別して、相違領域が検出箇所に到達したか否かを判断する判断部とを設けるようにした。
【００１６】
また本発明の媒体取引装置においては、利用者との間で取引される紙葉状の媒体が周側面に巻き付けられるドラムと、ドラムの周囲に形成された走行経路に沿って走行し、ドラムの周側面に媒体を巻き付けるテープと、テープの走行方向に関する端部近傍に設けられ、該テープに照射される光に対する応答特性が端部以外の通常領域と相違する相違領域と、走行経路上に設定された検出箇所において、テープから光の照射に対する応答特性を検出する検出部と、検出部による検出結果を基に、テープのうち使用により応答特性が変化した変化領域と区別して、相違領域が検出箇所に到達したか否かを判断する判断部とを設けるようにした。
【００１７】
これにより、検出部においてテープに光を照射したときに得られる応答特性が、通常領域の応答特性と相違した場合、判断部により、この応答特性が得られた部分が変化領域であるか相違領域であるかを適切に区別した上で、相違領域が検出箇所に到達したか否かを精度良く判断することができる。
【発明の効果】
【００１８】
本発明によれば、検出部によりテープから得られた応答特性が通常領域と相違した場合、判断部により変化領域であるか相違領域であるかを適切に区別した上で、相違領域が検出箇所に到達したか否かを精度良く判断することができる。かくして本発明は、媒体の収納及び繰出を正常に行い得る媒体収納装置及び媒体取引装置を実現できる。
【図面の簡単な説明】
【００１９】
【図１】現金自動預払機の外観構成を示す略線的斜視図である。
【図２】現金自動預払機の内部構成を示すブロック図である。
【図３】遠隔管理システムの構成を示す略線図である。
【図４】紙幣入出金機の構成を示す略線図である。
【図５】一時保留部の構成を示す略線図である。
【図６】一時保留部の構成を示す略線図である。
【図７】テープの構成を示す略線図である。
【図８】第１の実施の形態による巻取処理手順を示すフローチャートである。
【図９】第１の実施の形態による巻戻処理手順を示すフローチャートである。
【図１０】第２の実施の形態による巻取処理手順を示すフローチャートである。
【図１１】第２の実施の形態による巻戻処理手順を示すフローチャートである。
【図１２】第３の実施の形態による巻取処理手順を示すフローチャートである。
【図１３】第３の実施の形態による巻戻処理手順を示すフローチャートである。
【図１４】第３の実施の形態による保守画面の構成を示す略線図である。
【図１５】第３の実施の形態によるリモート保守監視画面の構成を示す略線図である。
【図１６】第４の実施の形態による巻取処理手順を示すフローチャートである。
【図１７】第５の実施の形態による巻取処理手順を示すフローチャートである。
【図１８】第６の実施の形態による巻取処理手順を示すフローチャートである。
【図１９】第６の実施の形態による巻戻処理手順を示すフローチャートである。
【図２０】第６の実施の形態による汚れ情報保存処理手順を示すフローチャートである。
【図２１】第６の実施の形態による保守画面の構成を示す略線図である。
【図２２】第６の実施の形態によるリモート保守監視画面の構成を示す略線図である。
【図２３】第７の実施の形態による一時保留部の構成を示す略線図である。
【図２４】第７の実施の形態によるテープの構成を示す略線図である。
【発明を実施するための形態】
【００２０】
以下、発明を実施するための形態（以下実施の形態とする）について、図面を用いて説明する。
【００２１】
［１．第１の実施の形態］
［１−１．現金自動預払機の全体構成］
図１に外観を示すように、現金自動預払機１は、箱状の筐体２を中心に構成されており、例えば金融機関等に設置され、顧客との間で入金取引や出金取引等の現金に関する取引を行うようになっている。
【００２２】
筐体２は、その前側に顧客が対峙した状態で紙幣ＢＬの投入やタッチパネルによる操作等をしやすい箇所に接客部３が設けられている。接客部３は、顧客との間で現金や通帳等を直接やり取りすると共に、取引に関する情報の通知や操作指示の受付を行うようになされており、カード入出口４、入出金口５、操作表示部６、テンキー７、及びレシート発行口８が設けられている。
【００２３】
カード入出口４は、キャッシュカード等の各種カードが挿入され、または排出する。カード入出口４の奥側には、各種カードに磁気記録された口座番号等の読み取りを行うカード処理部４Ａ（後述する）が設けられている。入出金口５は、顧客が入金する紙幣ＢＬが投入され、また顧客へ出金する紙幣ＢＬを排出する。また入出金口５は、シャッタを駆動することにより開放又は閉塞する。因みに紙幣ＢＬは、例えば長方形の紙で構成されている。
【００２４】
操作表示部６は、取引に際して操作画面を表示するＬＣＤ（Liquid Crystal Display）と、取引の種類の選択、暗証番号や取引金額等を入力するタッチパネルとが一体化されている。因みに操作表示部は、保守作業員等によって保守作業が行われる場合、保守作業用の画面を表示することもできる。
【００２５】
テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する。因みにレシート発行口８の奥側には、レシートに取引内容等を印字するレシート処理部８Ａ（後述する）が設けられている。
【００２６】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２７】
筐体２内には、図２に示すように、現金自動預払機１全体を統括制御する主制御部９や、紙幣ＢＬに関する種々の処理を行う紙幣入出金機１０の他、上述したカード処理部４Ａ、レシート処理部８Ａや操作表示部６等が設けられている。また主制御部９は、外部との間で種々の情報を送受信する通信ケーブル７７が接続されている。
【００２８】
主制御部９は、図示しないＣＰＵ（Central Processing Unit）を中心に構成され、図示しないＲＯＭ（Read Only Memory）やフラッシュメモリ等から所定のプログラムを読み出して実行することにより、入金取引や出金取引等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００２９】
ところで現金自動預払機１は、図３に示すように、遠隔管理システム７０と接続されている。遠隔管理システム７０は、リモート保守センタ７２と金融機関等の店舗７１とがネットワーク回線７３によりそれぞれ接続された構成となっている。
【００３０】
各店舗７１には、複数の現金自動預払機１が設置されている。各現金自動預払機１は、それぞれ固有の装置番号が割り当てられており、また通信ケーブル７７を介してルータ等でなるネットワーク機器７６と接続されている。このネットワーク機器７６は、ネットワーク回線７３と接続されている。一方、リモート保守センタ７２には、保守装置７８が設置されている。この保守装置７８は、一般的なコンピュータ装置と同様、表示部や操作部等を有している。
【００３１】
保守装置７８は、ネットワーク回線７３、ネットワーク機器７６及び通信ケーブル７７を介して各店舗７１の各現金自動預払機１と情報を送受信し、各現金自動預払機１から送信されるエラー情報等を一元的に管理する。
【００３２】
一方、現金自動預払機１の紙幣入出金機１０は、図４に側面図を示すように、紙幣に関する種々の処理を行う複数の部分が組み合わされた構成となっている。また紙幣入出金機１０の各部分は、紙幣制御部１１により制御される。
【００３３】
紙幣制御部１１は、主制御部９と同様、図示しないＣＰＵを中心に構成されており、図示しないＲＯＭやフラッシュメモリ等から所定のプログラムを読み出して実行することにより、紙幣の搬送先を決定する処理等、種々の処理を行う。また紙幣制御部１１は、内部にＲＡＭ及びフラッシュメモリ等でなる記憶部を有しており、この記憶部に種々の情報を記憶させる。
【００３４】
例えば顧客が現金自動預払機１との間で入金取引を行う場合、紙幣制御部１１は、主制御部９（図１）等と連携しながら、操作表示部６を介して所定の操作入力を受け付けた後、入出金口５のシャッタを開いて入出金部１２内へ紙幣を投入させる。
【００３５】
入出金部１２は、紙幣が投入されると、入出金口５（図１）のシャッタを閉じてから紙幣を１枚ずつ取り出し、搬送部１３へ受け渡す。搬送部１３は、紙幣入出金機１０内で紙幣を各部へ搬送し得るようになっており、受け渡された紙幣を短辺方向に沿って進行させ、鑑別部１４へ搬送する。鑑別部１４は、その内部で紙幣を搬送しながら当該紙幣の金種及び真偽、並びに損傷の程度等を鑑別し、その鑑別結果を紙幣制御部１１へ通知する。これに応じて紙幣制御部１１は、取得した鑑別結果に基づいて当該紙幣の搬送先を決定する。
【００３６】
このとき搬送部１３は、鑑別部１４において正常と鑑別された紙幣（いわゆる正券）を一時保留部１５へ搬送する等して一時的に保留させる一方、取引すべきでないと鑑別された紙幣（いわゆる損券や偽券等）を入出金部１２へ搬送して顧客に返却する。
【００３７】
その後紙幣制御部１１は、操作表示部６（図１）を介して顧客に入金金額を確定させ、一時保留部１５に保留している紙幣を鑑別部１４へ搬送させてその金種及び損傷の程度等を鑑別させ、その鑑別結果を取得する。そして紙幣制御部１１は、紙幣の損傷の程度が大きければ、これを再利用すべきでないリジェクト紙幣としてリジェクト庫１７へ搬送して収納させ、損傷の程度が小さければ、その金種に応じた紙幣収納庫１６に収納させる。
【００３８】
一方、例えば顧客が現金自動預払機１との間で出金取引を行う場合、紙幣制御部１１は、主制御部９等と連携しながら、操作表示部６（図１）を介して所定の操作入力を受け付けた後、出金すべき金額に応じた紙幣を紙幣収納庫１６から繰り出させる。続いて紙幣制御部１１は、この紙幣を搬送部１３により鑑別部１４へ搬送して鑑別させた上で入出金部１２へ搬送し、入出金口５（図１）のシャッタを開いてこの紙幣を顧客に取り出させる。
【００３９】
このように紙幣入出金機１０では、入金取引において、顧客から入金された紙幣を一時保留部１５へ搬送して収納し、また当該一時保留部１５から紙幣を繰り出して各紙幣収納庫１６等へ搬送するようになっている。
【００４０】
［１−２．一時保留部の構成］
一時保留部１５は、図５（Ａ）及び（Ｂ）に示すように、フレーム２０内に各部品が取り付けられた構成となっている。因みに図５（Ａ）及び（Ｂ）は、一時保留部１５の右側面図及び後面図をそれぞれ模式的に表したものであり、説明の都合上、モータやギア等といった一部の部品を省略している。
【００４１】
一時保留部１５は、制御部２１により全体を制御されるようになっている。制御部２１は、主制御部９や紙幣制御部１１（図４）と同様、図示しないＣＰＵを中心に構成されている。また制御部２１は、内部にＲＡＭ及びフラッシュメモリ等でなる記憶部を有しており、この記憶部に巻取処理プログラムや巻戻処理プログラムのような各種プログラム及び各種変数等、種々の情報を記憶させる。
【００４２】
この制御部２１は、記憶部から各種プログラムを読み出して実行し、また紙幣制御部１１等とも連携することにより、ドラムの回転やテープの走行に関する制御等、種々の処理を行う。
【００４３】
一時保留部１５のフレーム２０内における中央付近には、ドラム２２が設けられている。ドラム２２は、中心軸を左右方向に向けた円筒状に形成されており、フレーム２０に対し回転軸２３を介して回転可能に取り付けられている。ドラム２２は、制御部２１の制御に基づいてモータ（図示せず）からの駆動力が伝達されることにより、回転軸２３を中心として巻取方向Ｒ１又は巻戻方向Ｒ２へ回転する。
【００４４】
ドラム２２の前方には、紙幣入出部２４が設けられている。紙幣入出部２４は、図示しないローラやガイド部材等の組み合わせによって構成されており、搬送部１３（図４）との間で紙幣ＢＬを授受すると共に、当該紙幣ＢＬの紙面を上下に向け短辺を前後方向に沿わせた姿勢のまま前後方向に搬送する。
【００４５】
ドラム２２の上方には、紙幣ＢＬを案内する可動ガイド２５が設けられている。可動ガイド２５は、前後方向に長い板状に形成されると共に、その前端において回動軸２６を介して紙幣入出部２４に対し回動可能に支持されている。また可動ガイド２５は、後端近傍にローラ２７が取り付けられており、図示しない付勢手段により、当該ローラ２７の周側面をドラム２２の周側面に当接させている。さらに可動ガイド２５の前方には、紙幣ＢＬを案内する搬送ガイド２８が設けられている。
【００４６】
またフレーム２０内には、細長いフィルム状に形成された外テープ３１及び内テープ４１をそれぞれ所定の走行経路に沿って走行させる外テープ走行系３０及び内テープ走行系４０が設けられている。
【００４７】
外テープ３１及び内テープ４１は、いずれも光の透過性が高い樹脂材料でなり、薄いフィルム状に形成されている。このため外テープ３１及び内テープ４１は、多層に重ねられた場合にもその厚さを比較的小さく抑えることができ、また柔軟性に富んでいる反面、強度が比較的弱くなっている。
【００４８】
外テープ３１及び内テープ４１における長手方向の長さは、例えば３０［ｍ］のように、ドラム２２の周側面に対し数十周に渡って巻き付け得る程度に十分に長くなっている。一方、外テープ３１及び内テープ４１における短手方向の長さ（すなわちテープ幅）は、例えば１８［ｍｍ］のように、紙幣ＢＬの長辺よりも十分に短くなっている。
【００４９】
外テープ走行系３０は、フレーム２０内における概ね上側半分の範囲に配置されており、外テープ３１の他、外リール３２、回転軸３３及びプーリ３４により構成されている。
【００５０】
外リール３２は、糸巻き状に構成されており、フレーム２０内におけるドラム２２の上方に設けられている。この外リール３２は、ドラム２２の回転軸２３と平行な回転軸３３に挿通されており、当該回転軸３３を中心に回転する。また外リール３２には、外テープ３１における長手方向の一端である終端部が周側面に固定された上で、当該周側面に当該外テープ３１が巻回される。
【００５１】
プーリ３４は、中心軸を左右方向に向けた小さな円筒状に形成されており、紙幣入出部２４内における上寄りに設けられている。プーリ３４は、左右方向に沿った回転軸を中心として、自在に回転する。
【００５２】
外リール３２に巻回された外テープ３１は、その先端が当該外リール３２から前下方へ引き出され、プーリ３４における前側ないし下側の周側面に沿って後方向へ折り返されるよう引き回されてから、ドラム２２の周側面に到達し、固定されている。因みに外リール３２は、図示しないテンションスプリングにより、外テープ３１を巻き取る方向へ付勢されており、当該外テープ３１に対し常に所定の張力を持たせている。
【００５３】
内テープ走行系４０は、外テープ走行系３０と概ね上下対称に構成されている。すなわち内テープ走行系４０は、フレーム２０内における概ね下側半分の範囲に配置されており、内テープ４１の他、内リール４２、回転軸４３及びプーリ４４により構成されている。
【００５４】
内リール４２は、外リール３２と同様の糸巻き状に構成されており、ドラム２２の下方に設けられ、回転軸４３を中心に回転する。また内リール４２には、内テープ４１の終端部が周側面に固定された上で、当該周側面に当該内テープ４１が巻回される。因みに内リール４２における内テープ４１の巻回方向は、外リール３２における外テープ３１の巻回方向とは反対となる。プーリ４４は、プーリ３４と同様に構成されており、紙幣入出部２４内における下寄りに設けられている。
【００５５】
内リール４２に巻回された内テープ４１は、その先端が当該内リール４２から前上方へ引き出され、プーリ４４における前側ないし上側の周側面に沿って後方向へ折り返されるよう引き回されてから、ドラム２２の周側面に対し、外テープ３１の内側に重なるように固定されている。因みに内リール４２は、外リール３２と同様、内テープ４１に対し常に所定の張力を持たせている。
【００５６】
かかる構成により一時保留部１５は、ドラム２２を巻取方向Ｒ１へ回転させると、その周側面に内テープ４１及び外テープ３１を順次重ねるようにして巻き付けていく。このとき一時保留部１５は、内テープ４１と外テープ３１との間に紙幣ＢＬを挟んでいれば、当該内テープ４１及び外テープ３１と共に当該紙幣ＢＬをドラム２２の周側面に巻き付けることができる。一時保留部１５は、このような巻付処理を繰り返すことにより、図６に示すように、ドラム２２の周側面に紙幣ＢＬを順次巻き付けて収納する。
【００５７】
また一時保留部１５は、ドラム２２を巻戻方向Ｒ２へ回転させると共に外リール３２及び内リール４２をそれぞれ所定の巻取方向へ回転させると、当該ドラム２２の周側面から外テープ３１及び内テープ４１により挟まれたままの紙幣ＢＬを引き剥がす。この紙幣ＢＬは、紙幣入出部２４により搬送部１３（図４）へ受け渡され、一時保留部１５から繰り出される。一時保留部１５は、このような巻戻処理を繰り返すことにより、ドラム２２の周側面に巻き付けていた紙幣ＢＬを順次引き剥がして繰り出す。
【００５８】
さらに外テープ走行系３０には、外テープ３１の走行経路上における所定の箇所、具体的には外リール３２とプーリ３４との間に、テープセンサ３５が配置されている。テープセンサ３５は、外テープ３１を両面から挟むように、所定の波長でなる検出光を発光する発光部と当該検出光を受光する受光部とを対向させている。
【００５９】
このテープセンサ３５は、発光部から検出光を発光し、この検出光のうち外テープ３１を透過した部分を受光部により受光してその明るさに応じた受光信号を生成し、これを制御部２１に送出する。すなわちテープセンサ３５は、外テープ３１のうち検出光が照射されている箇所（以下これを検出箇所Ｐ１と呼ぶ）における検出光の透過率、すなわち明るさに応じた受光信号を制御部２１へ送出する。
【００６０】
制御部２１は、テープセンサ３５から取得した受光信号の信号レベルが所定のしきい値以上であれば「明」レベルと判別し、当該しきい値未満であれば「暗」レベルと判別する。すなわち、このとき制御部２１において得られた判別結果は、この時点でテープセンサ３５の位置にある外テープ３１の光透過率を、「明」レベル又は「暗」レベルに２値化した値となる。
【００６１】
これと対応するように、内テープ走行系４０には、内テープ４１の走行経路上における所定の箇所、具体的には内リール４２とプーリ４４との間に、テープセンサ３５と同様に構成されたテープセンサ４５が配置されている。テープセンサ４５は、内テープ４１の検出箇所Ｐ２における検出光の透過率に応じた受光信号生成して制御部２１へ送出する。
【００６２】
一方、図７（Ａ）及び（Ｂ）に示すように、外テープ３１における始端部（ドラム２２に固定されている部分）の近傍と、内テープ４１における終端部（内リール４２に固定されている部分）の近傍には、遮光領域ＳＡが設けられている。
【００６３】
内テープ４１の終端部に設けられた遮光領域ＳＡは、巻取処理において内リール４２から内テープ４１が終端まで完全に引き出される前に検出箇所Ｐ２に到達するよう、十分に長い長さＬ１となっている。また外テープ３１の始端部に設けられた遮光領域ＳＡは、巻戻処理においてドラム２２から外テープ３１が始端まで完全に引き出される前に検出箇所Ｐ１に到達するよう、やはり十分に長い長さＬ２となっている。この長さＬ１及びＬ２は、紙幣ＢＬにおける短辺の長さと比較しても十分に長くなっている。
【００６４】
相違領域としての遮光領域ＳＡは、外テープ３１及び内テープ４１における他の領域（以下これを通常領域ＮＡと呼ぶ）と比較して、光の透過率が低減されている。このため制御部２１は、検出箇所Ｐ１及びＰ２に外テープ３１及び内テープ４１の遮光領域ＳＡが位置していれば、受光信号を基に「暗」レベルと判別し、通常領域ＮＡが位置していれば、同様に「明」レベルと判別することになる。
【００６５】
制御部２１は、受光信号の判別結果を基に、巻付処理であればテープセンサ４５の検出箇所に内テープ４１の終端部が到達した時点で、巻戻処理であればテープセンサ３５の検出箇所に外テープ３１の始端部が到達した時点で、ドラム２２の回転を停止させる（詳しくは後述する）。これにより制御部２１は、各テープに過大な負荷が加えられること、及びこれに伴い各テープが損傷することを未然に防止できる。
【００６６】
このように一時保留部１５は、外テープ３１及び内テープ４１を用いてドラム２２の周側面に紙幣を巻き付け、また引き剥がすと共に、テープセンサ３５及び４５により当該外テープ３１及び内テープ４１の検出箇所Ｐ１及びＰ２における光の透過率を検出し、その検出結果を基にドラム２２の回転を制御する。
【００６７】
［１−３．一時保留部における巻取処理及び巻戻処理］
上述したように、一時保留部１５における基本的な動作原理として、制御部２１は、テープセンサ３５から取得した受光信号が「暗」レベルであれば、検出箇所Ｐ１が遮光領域ＳＡ、すなわち外テープ３１の始端部近傍であると判断できる。また制御部２１は、テープセンサ４５から取得した受光信号が「暗」レベルであれば、検出箇所Ｐ２が遮光領域ＳＡ、すなわち内テープ４１の終端部近傍であると判断できる。
【００６８】
ところで一時保留部１５では、紙幣ＢＬを収納する場合、各紙幣ＢＬの短辺を進行方向、すなわち外テープ３１及び内テープ４１における長手方向に合わせ、且つ各紙幣ＢＬ同士の間隔をほぼ一定に隔てながら、ドラム２２の周側面に巻き付けていく。すなわち一時保留部１５では、紙幣の収納及び繰出を繰り返したとしても、外テープ３１及び内テープ４１に対し紙幣ＢＬが当接する部分は、毎回ほぼ同じ箇所となる。
【００６９】
このため一時保留部１５では、紙幣の収納及び繰出を繰り返すことにより、例えば図７（Ｃ）に示すように、内テープ４１において毎回紙幣ＢＬと当接する離散的な箇所に、汚れが徐々に付着していく。この汚れは、付着量が多い場合、テープセンサ３５及び４５の検出光を遮る場合がある。以下では、検出光を遮る程度に汚れが付着した領域を汚れ領域ＤＡと呼ぶ。
【００７０】
また一時保留部１５では、紙幣の収納及び繰出をさらに繰り返した場合、図７（Ｄ）に示すように、変化領域としての汚れ領域ＤＡの形成箇所が増加し、また各汚れ領域ＤＡの範囲（長手方向に沿った長さ）も延長されていく。
【００７１】
因みに一時保留部１５では、その構造上、外テープ３１及び内テープ４１における始端側から順に紙幣ＢＬを所定間隔毎に巻き付けていく。このため外テープ３１及び内テープ４１では、始端側から離散的な箇所に汚れ領域ＤＡが形成されていくことになる。
【００７２】
このように制御部２１は、検出箇所Ｐ１又はＰ２に汚れ領域ＤＡが到達していた場合にも、受光信号を「暗」レベルと判別することになる。このため制御部２１は、受光信号の単純な判別結果を基に、検出箇所Ｐ１又はＰ２に遮光領域ＳＡが到達しているか否か、すなわち外テープ３１の始端部近傍又は内テープ４１の終端部近傍が到達しているか否かを判断した場合、その判断を誤る可能性がある。
【００７３】
そこで制御部２１は、受光信号が「暗」レベルとなった期間を基に、検出箇所が遮光領域ＳＡであるか否かを判断するようになっている。以下では、巻取処理及び巻戻処理それぞれにおける具体的な処理手順について説明する。
【００７４】
［１−３−１．巻取処理手順］
一時保留部１５の制御部２１は、紙幣制御部１１（図２）等から紙幣ＢＬを内部に収納する指示を受け付けると、図８に示す巻取処理手順ＲＴ１を開始してステップＳＰ１へ移る。ステップＳＰ１において制御部２１は、ドラム２２の巻取方向Ｒ１への回転を開始させ、次のステップＳＰ２に移る。ステップＳＰ２において制御部２１は、経過時間を計測するためのタイマ変数ＴＥを値「０」に初期化し、次のステップＳＰ３へ移る。
【００７５】
ステップＳＰ３において制御部２１は、テープセンサ４５から受光信号を取得し、次のステップＳＰ４へ移る。ステップＳＰ４において制御部２１は、取得した受光信号が「明」レベルか否かを判定する。
【００７６】
ここで肯定結果が得られると、このことは検出箇所Ｐ２において内テープ４１が通常領域ＮＡであり、遮光領域ＳＡ又は汚れ領域ＤＡの何れでもないことを表している。このため制御部２１は、再度ステップＳＰ３へ戻ってドラム２２の回転を継続させる。
【００７７】
一方、ステップＳＰ４において否定結果が得られると、このことは取得した受光信号が「暗」レベルであるため、検出箇所Ｐ２において内テープ４１が遮光領域ＳＡ又は汚れ領域ＤＡのいずれかであることを表している。このとき制御部２１は、遮光領域ＳＡ又は汚れ領域ＤＡのいずれであるかを判断するべく、次のステップＳＰ５へ移る。
【００７８】
ステップＳＰ５において制御部２１は、タイマ変数ＴＥのカウントを開始し、次のステップＳＰ６へ移る。因みにタイマ変数ＴＥは、カウントが開始されると、所定時間毎に値が自動的に増加され、カウントが開始されてから経過した時間を表すようになっている。すなわちタイマ変数ＴＥは、受光信号が「明」レベルから「暗」レベルに切り替わった時点（以下これを暗レベル開始時点と呼ぶ）からの経過時間を表すことになる。
【００７９】
ステップＳＰ６において制御部２１は、タイマ変数ＴＥが所定のしきい値ＳＫ１よりも大きいか否かを判定する。ここでしきい値ＳＫ１は、例えば内テープ４１が所定の走行速度で、紙幣ＢＬにおける短辺の長さと同等の距離を走行するのに要する時間を表す値となっている。このステップＳＰ６において否定結果が得られると、このことは暗レベル開始時点からの経過時間が比較的短いことを表している。このとき制御部２１は、次のステップＳＰ７へ移る。
【００８０】
ステップＳＰ７において制御部２１は、ステップＳＰ３と同様にテープセンサ４５から受光信号を取得し、次のステップＳＰ８へ移る。ステップＳＰ８において制御部２１は、ステップＳＰ４と同様に、取得した受光信号が「明」レベルか否かを判定する。
【００８１】
ここで否定結果が得られると、このことは暗レベル開始時点以降、受光信号が「暗」レベルのまま継続していることを表している。このとき制御部２１は、再度ステップＳＰ６及びＳＰ７を繰り返すことにより、タイマ変数ＴＥがしきい値ＳＫ１を超えるのを待ち受ける。
【００８２】
これと反対に、ステップＳＰ８において肯定結果が得られると、このことは、暗レベル開始時点以降、タイマ変数ＴＥがしきい値ＳＫ１に到達する前に受光信号が「明」レベルに変化したこと、すなわち内テープ４１において検出光を遮った部分の長さが比較的短いことを表している。これは、内テープ４１の終端部に比較的長い範囲ＬＳ（図７）に渡って形成された遮光領域ＳＡでは無く、比較的短く形成された汚れ領域ＤＡが検出箇所Ｐ２に位置しているため、この時点ではドラム２２の回転を停止するべきでないことを意味している。このため制御部２１は、再びステップＳＰ２へ戻り、一連の処理を繰り返す。
【００８３】
一方、ステップＳＰ６において肯定結果が得られると、このことは暗レベル開始時点以降、受光信号が「暗」レベルのまま比較的長い時間が経過したこと、すなわち内テープ４１において検出光を遮った部分の長さが比較的長いことを表している。これは、内テープ４１の終端部に比較的長い範囲ＬＳ（図７）に渡って形成された遮光領域ＳＡが検出箇所Ｐ２に位置しているため、ドラム２２の回転を直ちに停止するべきであることを意味している。
【００８４】
このとき制御部２１は、次のステップＳＰ９へ移ってドラム２２の回転を停止させた後、その次のステップＳＰ１０へ移って巻取処理手順ＲＴ１を終了する。
【００８５】
このように制御部２１は、巻取処理において、タイマ変数ＴＥがしきい値ＳＫ１を超える程度に長い時間に渡って受光信号が「暗」レベルであった場合にのみ、遮光領域ＳＡが検出箇所Ｐ２に位置しているものと判断してドラム２２の回転を停止させるようになっている。
【００８６】
因みに一時保留部１５では、しきい値ＳＫ１を大きくすることにより、汚れ領域ＤＡと遮光領域ＳＡとの判別精度を高めることができる反面、遮光領域ＳＡであった場合に、受光信号が「暗」レベルになってから遮光領域ＳＡであると判断できるまでに要する時間が長くなり、この間に内テープ４１を巻ききってしまう恐れがある。この場合、内テープ４１の全長及び遮光領域ＳＡの長さを延長することで回避可能であるものの、今度は材料費の増加を招いてしまう。そこで実際のしきい値ＳＫ１は、これらの事情が総合的に勘案された上で、適切な値に設定されている。
【００８７】
［１−３−２．巻戻処理手順］
一時保留部１５の制御部２１は、紙幣制御部１１（図２）等から紙幣ＢＬを繰り出す指示を受け付けると、図８と対応する図９に示す巻戻処理手順ＲＴ２を開始してステップＳＰ１１へ移る。ステップＳＰ２１において制御部２１は、ドラム２２の巻戻方向Ｒ２への回転を開始させ、次のステップＳＰ２２に移る。ステップＳＰ２において制御部２１は、時間を計測するためのタイマ変数ＴＳを値「０」に初期化し、次のステップＳＰ２３へ移る。ステップＳＰ２３において制御部２１は、テープセンサ３５から受光信号を取得し、次のステップＳＰ２４へ移る。
【００８８】
ステップＳＰ２４〜ＳＰ３０において制御部２１は、巻取処理手順ＲＴ１（図８）におけるステップＳＰ４〜ＳＰ１０とそれぞれ同様の処理を行う。ただし制御部２１は、ステップＳＰ２５及びＳＰ２６において、タイマ変数ＴＥに代えてタイマ変数ＴＳを用い、また当該ステップＳＰ２６においてしきい値ＳＫ１に代えてしきい値ＳＫ２を用い、さらにステップＳＰ２７においてテープセンサ３５から受光信号を取得する。
【００８９】
すなわち制御部２１は、巻戻処理において始端部を検出するためのしきい値ＳＫ２を、巻取処理において終端部を検出するために用いたしきい値ＳＫ１と別に用意することで、それぞれに最適な値を設定できるようになっている。
【００９０】
かくして制御部２１は、巻戻処理において、比較的長い時間に渡って受光信号が「暗」レベルであった場合にのみ、遮光領域ＳＡが検出箇所Ｐ１に位置しているものと判断してドラム２２の回転を停止させるようになっている。
【００９１】
［１−４．動作及び効果］
以上の構成において、第１の実施の形態による一時保留部１５の制御部２１は、巻取処理及び巻戻処理において、テープセンサ３５及び４５からの受光信号が「暗」レベルとなった場合、その継続期間を表すタイマ変数ＴＥ又はＴＳをしきい値ＳＫ１又はＳＫ２と比較する。
【００９２】
ここで制御部２１は、タイマ変数ＴＥ又はＴＳがしきい値ＳＫ１又はＳＫ２を超えることにより、受光信号の「暗」レベルが比較的長く継続した場合のみ、外テープ３１又は内テープ４１の遮光領域ＳＡが検出箇所Ｐ１又はＰ２に到達したと判断する。
【００９３】
外テープ３１又は内テープ４１では、紙幣ＢＬをドラム２２の周側面に巻き付ける際に当該紙幣ＢＬと当接する部分がほぼ決まっているため、汚れ領域ＤＡが形成されたとしても、離散的であり、長手方向の長さが紙幣ＢＬにおける短辺の長さを大きく超えることは無い。
【００９４】
このため制御部２１は、受光信号が「暗」レベルになったとしても、その継続期間が比較的短く、しきい値ＳＫ１又はＳＫ２を超えなかった場合、これが汚れ領域ＤＡに起因するものであることを精度良く判断できる。このような場合、制御部２１は、ドラム２２の回転を継続させることで、ドラム２２に巻き付けるべき紙幣ＢＬを引き続き巻き付けて収納することや、ドラム２２から引き剥がすべき紙幣ＢＬを引き続き引き剥がして繰り出すことができる。
【００９５】
すなわち制御部２１は、汚れ領域ＤＡを終端部の遮光領域ＳＡと誤検出してドラム２２を誤って停止した場合における、巻取処理において収納すべき紙幣を収納しきれずに残してしまうことや、巻戻処理において繰り出すべき紙幣を繰り出さずに残してしまうことを未然に回避できる。
【００９６】
また一時保留部１５では、保守作業等において、汚れ領域ＤＡを遮光領域ＳＡと誤認識することを未然に防ぐためのテープの頻繁な清掃や交換を行う必要が無く、作業工数や費用の増加を必要最小限に抑えることも可能となる。
【００９７】
以上の構成によれば、第１の実施の形態による一時保留部１５は、巻取処理及び巻戻処理において、受光信号が「暗」レベルとなってからの継続期間を表すタイマ変数ＴＥ又はＴＳがしきい値ＳＫ１又はＳＫ２を超えた場合のみ、外テープ３１又は内テープ４１の遮光領域ＳＡが検出箇所Ｐ１又はＰ２に到達したと判断する。このため一時保留部１５は、外テープ３１及び内テープ４１の汚れ領域ＤＡを遮光領域ＳＡと誤検出する可能性を格段に低減でき、真に遮光領域ＳＡが検出箇所Ｐ１又はＰ２に到達した場合に、このことを正しく判断してドラム２２の回転を停止させ、外テープ３１又は内テープ４１の損傷を適切に防止することができる。
【００９８】
［２．第２の実施の形態］
第２の実施の形態による一時保留部１１５（図５及び図６）は、第１の実施の形態による一時保留部１５と比較して、制御部２１に代わる制御部１２１を有する点において相違するものの、他の部分については同様に構成されている。
【００９９】
制御部１２１は、第１の実施の形態による制御部２１と同様、図示しないＣＰＵを中心に構成され、内部にＲＡＭ及びフラッシュメモリ等でなる記憶部を有している。この制御部１２１は、第１の実施の形態と一部異なる手順に従い、巻取処理及び巻戻処理を行うようになっている。
【０１００】
第２の実施の形態では、第１の実施の形態におけるしきい値ＳＫ１及びＳＫ２に代えて、長さしきい値ＦＫ１及びＦＫ２が用いられる。この長さしきい値ＦＫ１及びＦＫ２は、それぞれ次の（１）式及び（２）式により算出される。
【０１０１】
ＦＫ１＝ＳＫ１×ＳＰＤ    ……（１）
ＦＫ２＝ＳＫ２×ＳＰＤ    ……（２）
【０１０２】
ここで値ＳＰＤは、一時保留部１１５における外テープ３１及び内テープ４１の走行速度である。すなわち長さしきい値ＦＫ１及びＦＫ２は、時間に相当する値であるしきい値ＳＫ１及びＳＫ２にそれぞれ速度が乗算されることにより、長さを表す値となっている。
【０１０３】
この第２の実施の形態において、制御部１２１は、第１の実施の形態における巻取処理手順ＲＴ１及び巻戻処理手順ＲＴ２に代えて、図１０に示す巻取処理手順ＲＴ３及び図１１に示す巻戻処理手順ＲＴ４により、それぞれ巻取処理及び巻戻処理を行う。
【０１０４】
具体的に制御部１２１は、巻取処理手順ＲＴ３のステップＳＰ４６において、この時点における内テープ４１の走行速度を表す値ＳＰＤを用いて（１）式に従って長さしきい値ＦＫ１を算出した上で、この長さしきい値ＦＫ１を用いた比較処理を行う。
【０１０５】
また制御部１２１は、巻戻処理手順ＲＴ４のステップＳＰ６６において、この時点における外テープ３１の走行速度を表す値ＳＰＤを用いて（２）式に従って長さしきい値ＦＫ２を算出した上で、この長さしきい値ＦＫ２を用いた比較処理を行う。
【０１０６】
かかる構成により一時保留部１１５の制御部１２１は、外テープ３１及び内テープ４１の走行速度が変化する場合であっても、その時点における値ＳＰＤを用いて長さしきい値ＦＫ１及びＦＫ２をそれぞれ算出することで、各テープの速度に依存しない、長さの次元における比較処理を行うことができる。
【０１０７】
その他の点においても、第２の実施の形態による一時保留部１１５は、第１の実施の形態による一時保留部１５と同様の作用効果を奏し得る。
【０１０８】
以上の構成によれば、第２の実施の形態による一時保留部１１５は、巻取処理及び巻戻処理において、しきい値ＳＫ１及びＳＫ２に内テープ４１及び外テープ３１の速度ＳＰＤをそれぞれ乗算して長さしきい値ＦＫ１及びＦＫ２を算出し、タイマ変数ＴＥ又はＴＳがこの長さしきい値ＦＫ１及びＦＫ２を超えた場合のみ、内テープ４１又は外テープ３１の遮光領域ＳＡが検出箇所Ｐ２又はＰ１に到達したと判断する。このため一時保留部１１５は、外テープ３１及び内テープ４１の走行速度に拘わらず、汚れ領域ＤＡを遮光領域ＳＡと誤検出する可能性を格段に低減でき、真に遮光領域ＳＡが検出箇所Ｐ２又はＰ１に到達した場合に、このことを正しく判断してドラム２２の回転を停止させ、外テープ３１及び内テープ４１の損傷を適切に防止することができる。
【０１０９】
［３．第３の実施の形態］
第３の実施の形態による一時保留部２１５（図５及び図６）は、第１の実施の形態による一時保留部１５と比較して、制御部２１に代わる制御部２２１を有する点において相違するものの、他の部分については同様に構成されている。
【０１１０】
制御部２２１は、第１の実施の形態による制御部２１と同様、図示しないＣＰＵを中心に構成され、内部にＲＡＭ及びフラッシュメモリ等でなる記憶部を有している。この制御部２２１は、第１の実施の形態と一部異なる手順に従い、巻取処理及び巻戻処理を行うようになっている。
【０１１１】
この第３の実施の形態では、しきい値ＳＫ１及びＳＫ２よりもそれぞれ小さい値でなるしきい値ＳＫ３及びＳＫ４を予め設定しておき、タイマ変数ＴＥ又はＴＳがしきい値ＳＫ３及びＳＫ４を超えた場合には、比較的長い汚れ領域ＤＡがあるものと判断し、このことをプレアラームとして保守作業員や遠隔監視員等に通知するようになっている。
【０１１２】
具体的な処理として、制御部２２１は、第１の実施の形態における巻取処理手順ＲＴ１及び巻戻処理手順ＲＴ２に代えて、図１２に示す巻取処理手順ＲＴ５及び図１３に示す巻戻処理手順ＲＴ６により、それぞれ巻取処理及び巻戻処理を行う。
【０１１３】
制御部２２１は、巻取処理を行う場合、巻取処理手順ＲＴ５を開始してステップＳＰ８１へ移り、フラグＦＥの値を「０」にセットし、次のステップＳＰ８２へ移る。ここでフラグＦＥは、その値が「０」であれば、比較的長い汚れ領域ＤＡが存在せず、その値が「１」であれば、比較的長い汚れ領域ＤＡが存在することを意味する。
【０１１４】
ステップＳＰ８２〜ＳＰ８６において制御部２２１は、第１の実施の形態におけるステップＳＰ１〜ＳＰ５とそれぞれ同様の処理を行い、次のステップＳＰ８７へ移る。ステップＳＰ８７において制御部２２１は、タイマ変数ＴＥがしきい値ＳＫ３よりも大きいか否かを判定する。ここで否定結果が得られると、制御部２２１は、次のステップＳＰ８８へ移る。
【０１１５】
ステップＳＰ８８〜ＳＰ８９において制御部２２１は、ステップＳＰ８４〜ＳＰ８５とそれぞれ同様の処理を行う。このステップＳＰ８９において否定結果が得られると、制御部２２１は、再度ステップＳＰ８７及びＳＰ８８を繰り返すことにより、タイマ変数ＴＥがしきい値ＳＫ３を超えるのを待ち受ける。
【０１１６】
一方、ステップＳＰ８９において肯定結果が得られると、このことは、暗レベル開始時点以降、タイマ変数ＴＥがしきい値ＳＫ３に到達する前に受光信号が「明」レベルに変化したこと、すなわち内テープ４１において検出光を遮った部分の長さが極めて短く、保守作業員や遠隔監視員等に通知する必要が無いことを表している。このとき制御部２２１は、再びステップＳＰ８３へ戻り、一連の処理を繰り返す。
【０１１７】
また、ステップＳＰ８７において肯定結果が得られると、このことは暗レベル開始時点以降、タイマ変数ＴＥがしきい値ＳＫ３を超えており、内テープ４１において検出光を遮った部分が少なくともある程度の長さを有していることを表している。このとき制御部２２１は、次のステップＳＰ９０へ移る。
【０１１８】
ステップＳＰ９０において制御部２２１は、今度はタイマ変数ＴＥがしきい値ＳＫ１よりも大きいか否かを判定する。ここで否定結果が得られると、制御部２２１は、次のステップＳＰ９１へ移る。
【０１１９】
ステップＳＰ９１〜ＳＰ９２において制御部２２１は、ステップＳＰ８８〜ＳＰ８９とそれぞれ同様の処理を行う。このステップＳＰ９２において否定結果が得られると、制御部２１は、再度ステップＳＰ９０及びＳＰ９１を繰り返すことにより、タイマ変数ＴＥがしきい値ＳＫ１を超えるのを待ち受ける。
【０１２０】
一方、ステップＳＰ９２において肯定結果が得られると、このことは、暗レベル開始時点以降、タイマ変数ＴＥがしきい値ＳＫ３に到達した後であって、しきい値ＳＫ１に到達する前に受光信号が「明」レベルに変化したこと、すなわち内テープ４１において検出光を遮った部分の長さが比較的長く、保守作業員や遠隔監視員等に通知する必要があることを表している。
【０１２１】
このとき制御部２２１は、次のステップＳＰ９３へ移り、フラグＦＥの値を「１」にセットしてから再びステップＳＰ８３へ戻り、遮光領域ＳＡを検出するべく一連の処理を繰り返す。
【０１２２】
一方、ステップＳＰ９０において肯定結果が得られると、このことは内テープ４１において検出光を遮った部分の長さが十分に長く、検出箇所Ｐ２に遮光領域ＳＡが位置していることを意味している。このとき制御部２２１は、次のステップＳＰ９４へ移ってドラム２２の回転を停止させた後、その次のステップＳＰ９５へ移る。
【０１２３】
ステップＳＰ９５において制御部２２１は、フラグＦＥの値が「１」であるか否かを判定する。ここで肯定結果が得られると、このことは内テープ４１に比較的長い汚れ領域ＤＡが形成されていることを表しており、このとき制御部２２１は次のステップＳＰ９６へ移る。ステップＳＰ９６において制御部２２１は、プレアラームを主制御部９（図１及び図２）へ通知した後、ステップＳＰ９７へ移って巻取処理手順ＲＴ５を終了する。
【０１２４】
一方、ステップＳＰ９５において否定結果が得られた場合、このことは内テープ４１に長い汚れ領域ＤＡが形成されておらず、敢えてプレアラームを通知する必要が無いことを表している。このとき制御部２２１は、次のステップＳＰ９６へ移って巻取処理手順ＲＴ５を終了する。
【０１２５】
このように制御部２２１は、巻取処理において、タイマ変数ＴＥがしきい値ＳＫ１を超えた段階で、遮光領域ＳＡが検出箇所Ｐ２に位置しているものと判断してドラム２２の回転を停止させる。これに加えて制御部２２１は、タイマ変数ＴＥがしきい値ＳＫ３を超えた場合、十分に長い汚れ領域ＤＡが形成されているものとして主制御部９へプレアラームを通知するようになっている。
【０１２６】
因みにしきい値ＳＫ３は、汚れ領域ＤＡを解消する観点からはできるだけ小さい値とした方が良いものの、その反面として内テープ４１の清掃や交換の頻度が高まり、保守作業における手間やコストの増加に繋がってしまう。反対に、しきい値ＳＫ３を大きな値とした場合、プレアラームの通知から実際に汚れ領域ＤＡを遮光領域ＳＡと誤検出してしまうまでの期間が短くなり、保守作業が行われる前に誤検出が発生する恐れもある。このためしきい値ＳＫ３は、これらの事情が勘案された上で、適切な値に設定される。
【０１２７】
また制御部２２１は、巻戻処理を行う場合、巻戻処理手順ＲＴ６（図１３）を開始する。この巻戻処理手順ＲＴ６において、制御部２２１は、上述した巻取処理手順ＲＴ５（図１２）と同様の処理を行う。
【０１２８】
ただし制御部２２１は、ステップＳＰ１０１、ＳＰ１１３及びＳＰ１１５において、フラグＦＥに代わるフラグＦＳを用い、またステップＳＰ１０２においてドラム２２を巻戻方向Ｒ２へ回転させる。さらに制御部２２１は、ステップＳＰ１０３、ＳＰ１０６、ＳＰ１０７及びＳＰ１１０においてタイマ変数ＴＳを用い、ステップＳＰ１０７においてしきい値ＳＫ４を、ステップＳＰ１１０においてしきい値ＳＫ２を、それぞれ用いる。
【０１２９】
かくして制御部２２１は、巻戻処理において、タイマ変数ＴＳがしきい値ＳＫ２を超えた段階で、遮光領域ＳＡが検出箇所Ｐ１に位置しているものと判断してドラム２２の回転を停止させる。これに加えて制御部２２１は、タイマ変数ＴＳがしきい値ＳＫ４を超えた場合、十分に長い汚れ領域ＤＡが形成されているものとして主制御部９へプレアラームを通知する。
【０１３０】
その後、現金自動預払機１の主制御部９は、保守作業員等による所定の保守操作が行われた場合、例えば操作表示部６（図１）や筐体２の後面側に設けられた保守用表示部（図示せず）等に、図１４に示すような保守画面Ｄ１を表示する。このとき主制御部９は、この保守画面Ｄ１に、「Ｐｒｅ  Ａｌａｒｍ：テープが汚れています」といった内容のメッセージＭ１を表示することで、外テープ３１又は内テープ４１に比較的長い汚れ領域ＤＡが形成されていることを保守作業員等に通知する。
【０１３１】
また現金自動預払機１の主制御部９は、リモート保守センタ７２（図３）の保守装置７８に対し、一時保留部１５から通知されたプレアラームを、店舗７１を識別するための情報や装置番号等と共に通知する。これに応じて保守装置７８は、例えば所定の表示部に対し、図１５に示すような監視テーブルＴ１を含むリモート保守監視画面Ｄ２を表示する。
【０１３２】
監視テーブルＴ１には、店舗７１を特定するための「銀行」や「支店」、現金自動預払機１を特定するための「装置番号」、及びテープが汚れているか否かを表す「テープ汚れ」といった欄が設けられており、通知されたプレアラームに基づいた情報が各欄に表示される。このため保守装置７８は、リモート保守センタ７２のオペレータ等に対し、各店舗７１の各現金自動預払機１に関する情報を統括的に通知することができる。
【０１３３】
以上の構成において、一時保留部２１５の制御部２２１は、タイマ変数ＴＥ及びＴＳがしきい値ＳＫ３又はＳＫ４を超えた場合、十分に長い汚れ領域ＤＡが形成されているものとして主制御部９へプレアラームを通知する。
【０１３４】
これにより一時保留部２１５は、運用の継続により外テープ３１及び内テープ４１に汚れが徐々に付着していくなかで、汚れ領域ＤＡがある程度長くなった時点で、このことを検出してプレアラームを通知することができる。
【０１３５】
すなわち一時保留部２１５は、そのまま運用を継続した場合、汚れ領域ＤＡがさらに長くなって遮光領域ＳＡと誤認識する恐れがあるところ、その前の段階でプレアラームを通知することで、必要最小限の頻度で保守作業員等に外テープ３１及び内テープ４１の清掃作業や交換作業を行わせることができる。これを換言すれば、一時保留部２１５は、プレアラームを通知することにより、遮光領域ＳＡの誤検知に伴う誤動作の発生頻度を格段に低減させ得る。
【０１３６】
これと反対に一時保留部２１５は、タイマ変数ＴＥ及びＴＳがしきい値ＳＫ３又はＳＫ４よりも小さく、汚れ領域ＤＡが十分に小さい段階では、プレアラームを通知しないことにより、保守作業員等に無駄な清掃作業や交換作業を行わせずに済む。
【０１３７】
その他の点においても、第３の実施の形態による一時保留部２１５は、第１の実施の形態による一時保留部１５と同様の作用効果を奏し得る。
【０１３８】
以上の構成によれば、第３の実施の形態による一時保留部２１５は、巻取処理及び巻戻処理において、タイマ変数ＴＥ又はＴＳがしきい値ＳＫ１又はＳＫ２を超えた場合、内テープ４１又は外テープ３１の遮光領域ＳＡが検出箇所Ｐ２又はＰ１に到達したと判断することに加えて、しきい値ＳＫ３又はＳＫ４を超えた場合、ある程度長い汚れ領域ＤＡが形成されていると判断し、プレアラームを通知する。このため一時保留部２１５は、汚れ領域ＤＡが極めて長くなり遮光領域ＳＡとして誤検出される前に、外テープ３１及び内テープ４１の清掃や交換を促すことができると共に、真に遮光領域ＳＡが検出箇所Ｐ２又はＰ１に到達した場合に、このことを正しく判断してドラム２２の回転を停止させ、外テープ３１及び内テープ４１の損傷を適切に防止することができる。
【０１３９】
［４．第４の実施の形態］
第４の実施の形態による一時保留部３１５（図５及び図６）は、第１の実施の形態による一時保留部１５と比較して、制御部２１に代わる制御部３２１を有する点において相違するものの、他の部分については同様に構成されている。
【０１４０】
制御部３２１は、第１の実施の形態による制御部２１と同様、図示しないＣＰＵを中心に構成され、内部にＲＡＭ及びフラッシュメモリ等でなる記憶部を有している。この制御部３２１は、第１の実施の形態と一部異なる手順に従い、巻取処理及び巻戻処理を行うようになっている。
【０１４１】
一時保留部３１５は、その構造上、例えば内テープ４１の終端部に形成された遮光領域ＳＡが検出箇所Ｐ２に到達する場合、紙幣ＢＬの収納枚数が、収納可能な最大の枚数（例えば２００枚）に近い値となるはずである。また一時保留部３１５は、外テープ３１の始端部終端部に形成された遮光領域ＳＡが検出箇所Ｐ１に到達する場合、紙幣ＢＬが殆ど収納されていないはずである。
【０１４２】
そこで第４の実施の形態では、タイマ変数ＴＥ又はＴＳがしきい値ＳＫ１又はＳＫ２を超えた場合であっても、一時保留部３１５における紙幣ＢＬの収納枚数が所定のしきい値ＺＥ以上又はしきい値ＺＳ以下であった場合に、検出箇所Ｐ２又はＰ１に遮光領域ＳＡが到達したものと判断するようになっている。
【０１４３】
具体的な処理として、制御部３２１は、第１の実施の形態における巻取処理手順ＲＴ１に代えて、図１６に示す巻取処理手順ＲＴ７により巻取処理を行う。制御部３２１は、巻取処理を行う場合、巻取処理手順ＲＴ７を開始してステップＳＰ１２１へ移る。
【０１４４】
制御部３２１は、ステップＳＰ１２１〜ＳＰ１２８において、第１の実施の形態におけるステップＳＰ１〜ＳＰ８（図８）とそれぞれ同様の処理を行い、ステップＳＰ１２６において肯定結果が得られると、次のステップＳＰ１２９へ移る。
【０１４５】
ステップＳＰ１２９において制御部３２１は、この時点においてドラム２２の周側面に巻き付けられている紙幣ＢＬの枚数、すなわち一時保留部３１５内に収納されている紙幣ＢＬの枚数である収納枚数Ｚ１を取得し、次のステップＳＰ１３０へ移る。
【０１４６】
因みに一時保留部３１５は、紙幣入出部２４（図５）内に、紙幣が通過したか否かを検出する紙幣通過センサが設けられており、その検出結果を制御部３２１へ通知している。制御部３２１は、この検出結果を基に、紙幣が通過した数を計数することにより、収納枚数Ｚ１を取得する。
【０１４７】
ステップＳＰ１３０において制御部３２１は、収納枚数Ｚ１がしきい値ＺＥ以上であるか否かを判定する。ここでしきい値ＺＥは、紙幣ＢＬの検出誤差等を考慮し、例えば最大収納枚数が２００枚である場合に、その９０％である１８０枚に設定されている。
【０１４８】
ここで否定結果が得られると、このことは、一時保留部３１５におけるこの時点での紙幣ＢＬの収納枚数が比較的少ないことから、内テープ４１の終端部に形成された遮光領域ＳＡが検出箇所Ｐ２に到達しておらず、汚れ領域ＤＡが比較的長く形成されたためにタイマ変数がＴＥがしきい値ＳＫ１を超えた可能性が高いことを表している。このとき制御部３２１は、再びステップＳＰ１２２へ戻り、一連の処理を繰り返すことにより、真に遮光領域ＳＡが検出箇所Ｐ２に到達するのを待ち受ける。
【０１４９】
一方、ステップＳＰ１３０において肯定結果が得られた場合、このことは内テープ４１の終端部に形成された遮光領域ＳＡが検出箇所Ｐ２に到達した可能性が高いことを表している。このとき制御部３２１は、次のステップＳＰ１３１へ移ってドラム２２の回転を停止させた後、その次のステップＳＰ１３２へ移って巻取処理手順ＲＴ７を終了する。
【０１５０】
かくして制御部３２１は、巻取処理において、タイマ変数ＴＥがしきい値ＳＫ１を超え、且つ収納枚数Ｚ１がしきい値ＺＥ以上であった場合に、内テープ４１の終端部に形成された遮光領域ＳＡが検出箇所Ｐ２に到達したものと判断して、ドラム２２の回転を停止させる。
【０１５１】
なお制御部３２１は、巻戻処理においては、この巻取処理と対応する手順に従うことにより、タイマ変数ＴＳがしきい値ＳＫ２を超え、且つ収納枚数Ｚ１が所定のしきい値ＺＳ以下であった場合に、外テープ３１の始端部に形成された遮光領域ＳＡが検出箇所Ｐ１に到達したものと判断して、ドラム２２の回転を停止させる。
【０１５２】
このしきい値ＺＳは、紙幣ＢＬの検出誤差等を考慮し、例えば最大収納枚数が２００枚である場合に、その５％である１０枚に設定されている。
【０１５３】
以上の構成において、一時保留部３１５の制御部３２１は、タイマ変数ＴＥ及びＴＳがしきい値ＳＫ１又はＳＫ２を超えた場合、さらに一時保留部３１５における紙幣ＢＬの収納枚数Ｚ１が所定のしきい値ＺＥ以上又はしきい値ＺＳ以下であった場合に、ドラム２２の回転を停止させるようにした。
【０１５４】
このため制御部３２１は、仮に比較的長い汚れ領域ＤＡが形成されており、この汚れ領域ＤＡにおいてタイマ変数ＴＥがしきい値ＳＫ１を超えたとしても、収納枚数Ｚ１がしきい値ＺＥ未満であった場合、これが遮光領域ＳＡではなく汚れ領域ＤＡに起因したものであると判断でき、ドラム２２の回転を停止させずに紙幣ＢＬの巻取を継続できる。
【０１５５】
これを換言すれば、制御部３２１は、受光信号が「暗」レベルとなる期間と一時保留部３１５における紙幣ＢＬの収納枚数とを組み合わせることで、遮光領域ＳＡと汚れ領域ＤＡとの判別精度を格段に高めることができる。
【０１５６】
特に一時保留部３１５では、上述したように、内テープ４１のうち終端側よりも始端側の使用頻度が高いため、始端近傍に汚れが付着しやすく、汚れ領域ＤＡが長くなりやすい。このため一時保留部３１５では、特に巻取処理において、収納枚数Ｚ１がしきい値ＺＥ未満であった場合に遮光領域ＳＡと判断しないことにより、誤った判断を行う可能性を効果的に排除できる。
【０１５７】
その他の点においても、第４の実施の形態による一時保留部３１５は、第１の実施の形態による一時保留部１５と同様の作用効果を奏し得る。
【０１５８】
以上の構成によれば、第４の実施の形態による一時保留部３１５は、巻取処理及び巻戻処理において、タイマ変数ＴＥ又はＴＳがしきい値ＳＫ１又はＳＫ２を超えた場合、一時保留部３１５における紙幣ＢＬの収納枚数Ｚ１がしきい値ＺＥ以上又はしきい値ＺＳ以下であった場合に、検出箇所Ｐ２又はＰ１に遮光領域ＳＡが到達したものと判断する。このため一時保留部３１５は、比較的長い汚れ領域ＤＡが形成されておりタイマ変数ＴＥ又はＴＳがしきい値ＳＫ１又はＳＫ２を超えたとしても、収納枚数Ｚ１がしきい値ＺＥ以上又はしきい値ＺＳ以下でない限り、これを汚れ領域ＤＡとして正しく判別でき、真に遮光領域ＳＡが検出箇所Ｐ２又はＰ１に到達した時のみ、このことを正しく判別してドラム２２の回転を停止させ、外テープ３１及び内テープ４１の損傷を適切に防止することができる。
【０１５９】
［５．第５の実施の形態］
第５の実施の形態による一時保留部４１５（図５及び図６）は、第１の実施の形態による一時保留部１５と比較して、制御部２１に代わる制御部４２１を有する点において相違するものの、他の部分については同様に構成されている。
【０１６０】
制御部４２１は、第１の実施の形態による制御部２１と同様、図示しないＣＰＵを中心に構成され、内部にＲＡＭ及びフラッシュメモリ等でなる記憶部を有している。この制御部４２１は、第１の実施の形態と一部異なる手順に従い、巻取処理及び巻戻処理を行うようになっている。
【０１６１】
制御部４２１は、第４の実施の形態と同様、タイマ変数ＴＥ又はＴＳがしきい値ＳＫ１又はＳＫ２を超えた場合、一時保留部３１５における紙幣ＢＬの収納枚数Ｚ１がしきい値ＺＥ以上又はＺＳ以下であった場合、検出箇所Ｐ２又はＰ１に遮光領域ＳＡが到達したものと判断する。さらに制御部４２１は、収納枚数Ｚ１がしきい値ＺＥ未満又はＺＳを超えた場合、第３の実施の形態と同様、プレアラームを通知するようになっている。
【０１６２】
具体的な処理として、制御部４２１は、第１の実施の形態における巻取処理手順ＲＴ１に代えて、図１７に示す巻取処理手順ＲＴ８により巻取処理を行う。制御部４２１は、巻取処理を行う場合、巻取処理手順ＲＴ８を開始してステップＳＰ１４１へ移る。
【０１６３】
ステップＳＰ１４１において制御部４２１は、第３の実施の形態におけるステップＳＰ８１（図１２）と同様、フラグＦＥの値を「０」にセットし、次のステップＳＰ１４２へ移る。
【０１６４】
ステップＳＰ１４２〜ステップＳＰ１５１において制御部２２１は、第４の実施の形態におけるステップＳＰ１２１〜ＳＰ１３０とそれぞれ同様の処理を行う。このステップＳＰ１５１において否定結果が得られた場合、このことは、この時点での紙幣ＢＬの収納枚数Ｚ１が比較的少ないことから、内テープ４１の終端部に形成された遮光領域ＳＡが検出箇所Ｐ２に到達しておらず、汚れ領域ＤＡが比較的長く形成されたためにタイマ変数がＴＥがしきい値ＳＫ１を超えた可能性が高いことを表している。
【０１６５】
このとき制御部４２１は、比較的長い汚れ領域ＤＡが形成されていることを通知するべく、次のステップＳＰ１５２へ移ってフラグＦＥに値「１」をセットした後、再度ステップＳＰ１４３へ戻って一連の処理を繰り返すことにより、真に遮光領域ＳＡが検出箇所Ｐ２に到達するのを待ち受ける。
【０１６６】
一方、ステップＳＰ１５１において肯定結果が得られた場合、このことは内テープ４１の終端部に形成された遮光領域ＳＡが検出箇所Ｐ２に到達した可能性が高いことを表している。このとき制御部４２１は、次のステップＳＰ１３１へ移ってドラム２２の回転を停止させた後、その次のステップＳＰ１５４へ移る。
【０１６７】
ステップＳＰ１５４及びＳＰ１５５において制御部４２１は、第３の実施の形態におけるステップＳＰ９５及びＳＰ９６（図１２）と同様の処理を行った後、その次のステップＳＰ１５６へ移って巻取処理手順ＲＴ８を終了する。
【０１６８】
かくして制御部４２１は、巻取処理において、タイマ変数ＴＥがしきい値ＳＫ１を超えた場合、さらに収納枚数Ｚ１がしきい値ＺＥ以上であれば、遮光領域ＳＡが検出箇所Ｐ２に到達したと判断してドラム２２の回転を停止させ、収納枚数Ｚ１がしきい値ＺＥ未満であればプレアラームを通知する。
【０１６９】
なお制御部４２１は、巻戻処理においては、この巻取処理と対応する手順に従うことにより、タイマ変数ＴＳがしきい値ＳＫ２を超えた場合、さらに収納枚数Ｚ１がしきい値ＺＳ以下であれば、遮光領域ＳＡが検出箇所Ｐ１に到達したと判断してドラム２２の回転を停止させ、収納枚数Ｚ１がしきい値ＺＳを超えていればプレアラームを通知する。
【０１７０】
以上の構成において、一時保留部４１５の制御部４２１は、タイマ変数ＴＥ及びＴＳがしきい値ＳＫ１又はＳＫ２を超えたものの、一時保留部４１５における紙幣ＢＬの収納枚数Ｚ１が所定のしきい値ＺＥ未満であり又はしきい値ＺＳを超えた場合、ドラム２２の回転を停止させずにプレアラームを通知する。
【０１７１】
これにより制御部４２１は、外テープ３１又は内テープ４１に、遮光領域ＳＡと誤検出するような比較的長い汚れ領域ＤＡが形成されていることを保守作業員等に通知することができるので、外テープ３１及び内テープ４１の清掃や交換を促すことができる。
【０１７２】
その他の点においても、第５の実施の形態による一時保留部４１５は、第１の実施の形態による一時保留部１５及び第４の実施の形態による一時保留部３１５と同様の作用効果を奏し得る。
【０１７３】
以上の構成によれば、第５の実施の形態による一時保留部４１５は、巻取処理及び巻戻処理において、タイマ変数ＴＥ又はＴＳがしきい値ＳＫ１又はＳＫ２を超えた場合、一時保留部４１５における紙幣ＢＬの収納枚数Ｚ１がしきい値ＺＥ以上又はしきい値ＺＳ以下であった場合に、検出箇所Ｐ２又はＰ１に遮光領域ＳＡが到達したものと判断する。さらに一時保留部４１５は、収納枚数Ｚ１がしきい値ＺＥ未満であった場合又はしきい値ＺＳを超えた場合、プレアラームを通知する。このため一時保留部４１５は、比較的長い汚れ領域ＤＡと遮光領域ＳＡとを精度良く判別して真に遮光領域ＳＡが検出箇所Ｐ２又はＰ１に到達した時のみドラム２２の回転を停止させ得ると共に、外テープ３１及び内テープ４１の清掃又は交換を適切に促すことができる。
【０１７４】
［６．第６の実施の形態］
第６の実施の形態による一時保留部５１５（図５及び図６）は、第１の実施の形態による一時保留部１５と比較して、制御部２１に代わる制御部５２１を有する点において相違するものの、他の部分については同様に構成されている。
【０１７５】
制御部５２１は、第１の実施の形態による制御部２１と同様、図示しないＣＰＵを中心に構成され、内部にＲＡＭ及びフラッシュメモリ等でなる記憶部を有している。この制御部５２１は、第１の実施の形態と一部異なる手順に従い、巻取処理及び巻戻処理を行うようになっている。
【０１７６】
この制御部５２１は、第３及び第５の実施の形態におけるプレアラームの通知に代えて、汚れ領域ＤＡのうち最も長いものについて、その長さを数値により表した汚れ情報を通知するようになっている。
【０１７７】
具体的な処理として、制御部５２１は、第１の実施の形態における巻取処理手順ＲＴ１及び巻戻処理手順ＲＴ２に代えて、図１８に示す巻取処理手順ＲＴ８及び図１９に示す巻戻処理手順ＲＴ９により、それぞれ巻取処理及び巻戻処理を行うようになっている。
【０１７８】
制御部５２１は、巻取処理を行う場合、巻取処理手順ＲＴ８を開始してステップＳＰ１６１へ移り、変数ＴＥｍａｘの値を「０」にセットし、次のステップＳＰ１６２へ移る。ここで変数ＴＥｍａｘは、汚れ領域ＤＡの長さをタイマ変数ＴＥの値（すなわち時間の長さ）に換算した値のうち、最も長いものを格納するための変数となっている。
【０１７９】
ステップＳＰ１６２〜ＳＰ１６９において制御部５２１は、第１の実施の形態におけるステップＳＰ１〜ＳＰ８（図８）とそれぞれ同様の処理を行う。このステップＳＰ１６９において肯定結果が得られると、このことは、内テープ４１において検出光を遮った部分の長さが比較的短く、汚れ領域ＤＡである可能性が高いことを表している。このとき制御部５２１は、次のステップＳＰ１７０へ移る。
【０１８０】
ステップＳＰ１７０において制御部５２１は、この時点のタイマ変数ＴＥが変数ＴＥｍａｘよりも大きいか否かを判断する。ここで否定結果が得られると、このことは変数ＴＥｍａｘを更新する必要が無いことを表している。このとき制御部５２１は、再度ステップＳＰ１６３へ戻って一連の処理を繰り返す。
【０１８１】
一方、ステップＳＰ１７０において肯定結果が得られると、このことは検出箇所Ｐ２に位置している汚れ領域ＤＡが他の汚れ領域ＤＡよりも長く、変数ＴＥｍａｘを更新する必要があることを表している。このとき制御部５２１は、変数ＴＥｍａｘとしてこのときのタイマ変数ＴＥの値をセットした後、再度ステップＳＰ１６３へ戻って一連の処理を繰り返す。
【０１８２】
またステップＳＰ１６７において肯定結果が得られると、このことは内テープ４１において検出光を遮った部分の長さが比較的長く、内テープ４１の終端部に比較的長い範囲ＬＳ（図７）に渡って形成された遮光領域ＳＡが検出箇所Ｐ２に位置していることを意味している。
【０１８３】
このとき制御部５２１は、次のステップＳＰ１７２へ移ってドラム２２の回転を停止させた後、その次のステップＳＰ１７３へ移る。ステップＳＰ１７３において制御部５２１は、変数ＴＥｍａｘの値を主制御部９（図１及び図２）へ通知した後、ステップＳＰ１７４へ移って巻取処理手順ＲＴ８を終了する。
【０１８４】
このように制御部５２１は、巻取処理において、タイマ変数ＴＥがしきい値ＳＫ１を超えなかった場合に、その最も大きい値を変数ＴＥｍａｘに格納しておく。また制御部５２１は、タイマ変数ＴＥがしきい値ＳＫ１を超えた場合に、内テープ４１の遮光領域ＳＡが検出箇所Ｐ２に位置しているものと判断してドラム２２の回転を停止させると共に、変数ＴＥｍａｘの値を主制御部９へ通知する。
【０１８５】
また制御部５２１は、巻戻処理を行う場合、巻戻処理手順ＲＴ９（図１９）を開始する。この巻戻処理手順ＲＴ９において、制御部５２１は、上述した巻取処理手順ＲＴ８（図１８）と同様の処理を行う。
【０１８６】
ただし制御部５２１は、ステップＳＰ１８１、ＳＰ１９１及びＳＰ１９３において、変数ＴＥｍａｘに代わる変数ＴＳｍａｘを用い、またステップＳＰ１８２においてドラム２２を巻戻方向Ｒ２へ回転させる。さらに制御部５２１は、ステップＳＰ１８３、ＳＰ１８６、ＳＰ１８７及びＳＰ１９１においてタイマ変数ＴＳを用い、ステップＳＰ１８７においてしきい値ＳＫ２を用いる。
【０１８７】
かくして制御部５２１は、巻戻処理において、タイマ変数ＴＳがしきい値ＳＫ２を超えなかった場合に、その最も大きい値を変数ＴＳｍａｘに格納しておく。また制御部５２１は、タイマ変数ＴＳがしきい値ＳＫ２を超えた場合に、外テープ３１の遮光領域ＳＡが検出箇所Ｐ１に位置しているものと判断してドラム２２の回転を停止させると共に、変数ＴＳｍａｘの値を主制御部９へ通知する。
【０１８８】
これに応じて主制御部９は、図２０に示す汚れ情報保存処理手順ＲＴ１０に従い、テープの汚れに関する情報である汚れ情報を生成して保存するようになっている。具体的に主制御部９は、汚れ情報保存処理手順ＲＴ１０を開始してステップＳＰ２０１へ移り、変数ＴＳｍａｘをしきい値ＳＫ１で除算することにより、汚れ割合ＴＳＰを算出して、次のステップＳＰ２０２へ移る。ここで汚れ割合ＴＳＰは、内テープ４１の汚れ領域ＤＡのうち最も長い箇所が、しきい値ＳＫ１により表される長さに対してどの程度であるかを比率として表した値となる。
【０１８９】
ステップＳＰ２０２において制御部５２１は、変数ＴＥｍａｘをしきい値ＳＫ２で除算することにより、汚れ割合ＴＥＰを算出して、次のステップＳＰ２０３へ移る。ここで汚れ割合ＴＥＰは、外テープ３１の汚れ領域ＤＡのうち最も長い箇所が、しきい値ＳＫ２により表される長さに対してどの程度であるかを、汚れ割合ＴＳＰと同様に比率として表した値となる。
【０１９０】
ステップＳＰ２０３において制御部５２１は、汚れ割合ＴＳＰが汚れ割合ＴＥＰよりも大きいか否かを判定する。ここで肯定結果が得られると、制御部５２１は次のステップＳＰ２０４へ移り、大きい方の汚れ割合ＴＳＰを汚れ情報として保存した後、次のステップＳＰ２０６へ移って汚れ情報保存処理手順ＲＴ１０を終了する。
【０１９１】
またステップＳＰ２０３において否定結果が得られると、制御部５２１は次のステップＳＰ２０５へ移る、大きい方の汚れ割合ＴＥＰを汚れ情報として保存した後、次のステップＳＰ２０６へ移って汚れ情報保存処理手順ＲＴ１０を終了する。
【０１９２】
このように主制御部９は、一時保留部５１５から取得した変数ＴＳｍａｘ及びＴＥｍａｘをそれぞれ汚れ割合ＴＳＰ及び汚れ割合ＴＥＰに変換した上で、大きい方の値を汚れ情報として保存する。
【０１９３】
このようにして生成された汚れ情報は、第３の実施の形態におけるプレアラームと同様、現金自動預払機１の主制御部９やリモート保守センタ７２（図３）の保守装置７８へ通知され、操作表示部６（図１）や保守装置７８における表示部等に表示される。
【０１９４】
具体的に主制御部９は、保守作業員等による所定の保守操作が行われた場合、例えば操作表示部６（図１）や筐体２の後面側に設けられた保守用表示部（図示せず）等に、図１４と対応する図２１に示すような保守画面Ｄ３を表示する。このとき主制御部９は、この保守画面Ｄ３に、汚れ情報を基に「テープ汚れ：＊＊％」といった内容のメッセージＭ２を表示することで、外テープ３１又は内テープ４１における汚れ領域ＤＡの長さを表す比率を保守作業員等に通知することができる。
【０１９５】
また主制御部９は、一時保留部１５から通知された汚れ情報をリモート保守センタ７２（図３）の保守装置７８へ通知する。これに応じて保守装置７８は、例えば所定の表示部に対し、図１５と対応する図２２に示すような監視テーブルＴ２を含むリモート保守監視画面Ｄ４を表示する。
【０１９６】
監視テーブルＴ２には、監視テーブルＴ１と同様の「銀行」、「支店」、「装置番号」及び「テープ汚れ」といった各欄が設けられている。このうち「テープ汚れ」の欄には、汚れ情報の値が表示される。このため保守装置７８は、リモート保守センタ７２のオペレータ等に対し、各店舗７１の各現金自動預払機１に関する情報を統括的に提示できる。
【０１９７】
以上の構成において、一時保留部５１５の制御部５２１は、タイマ変数ＴＥ及びＴＳがしきい値ＳＫ１又はＳＫ２を超えなかった場合、より大きい値を変数ＴＥｍａｘ及びＴＳｍａｘとして随時更新していくことで、内テープ４１又は外テープ３１に形成された最も長い汚れ領域ＤＡの長さを取得し、これを主制御部９へ通知する。
【０１９８】
主制御部９は、変数ＴＥｍａｘ及びＴＳｍａｘの値をしきい値ＳＫ１及びＳＫ２によりそれぞれ除算することで、最も長い汚れ領域ＤＡの長さを、遮光領域ＳＡとして誤認してしまう長さに対する比率として表すことができる。
【０１９９】
これにより制御部５２１は、外テープ３１又は内テープ４１に、汚れ領域ＤＡの長さを比率として保守作業員等に提示することができるので、外テープ３１及び内テープ４１の清掃や交換を促すことができる。特にこの場合、プレアラームではなく比率が通知されるため、保守作業員等は、外テープ３１及び内テープ４１の清掃や交換を何れのタイミングで行うか、或いは清掃と交換との何れを行うべきか、といったことを、比率を基に自らの経験等を加味して判断することができる。
【０２００】
その他の点においても、第６の実施の形態による一時保留部５１５は、第１の実施の形態による一時保留部１５と同様の作用効果を奏し得る。
【０２０１】
以上の構成によれば、第６の実施の形態による一時保留部５１５は、巻取処理及び巻戻処理において、タイマ変数ＴＥ又はＴＳがしきい値ＳＫ１又はＳＫ２を超えた場合、検出箇所Ｐ２又はＰ１に遮光領域ＳＡが到達したものと判断する。また一時保留部５１５は、変数ＴＥｍａｘ及びＴＳｍａｘの値を随時更新していくことで、内テープ４１又は外テープ３１に形成された最も長い汚れ領域ＤＡの長さを取得し、これを主制御部９へ通知する。このため一時保留部５１５は、比較的長い遮光領域ＳＡが検出箇所Ｐ２又はＰ１に到達した場合にドラム２２の回転を停止させることができると共に、外テープ３１及び内テープ４１における汚れ領域の長さを提示することで、その清掃又は交換を適切に促すことができる。
【０２０２】
［７．第７の実施の形態］
図５と対応する図２３に示すように、第７の実施の形態による一時保留部６１５は、第１の実施の形態による一時保留部１５と一部異なる構成となっている。具体的に一時保留部６１５は、一時保留部１５と比較して、制御部２１及び外テープ走行系３０に代わる制御部６２１及びテープ走行系６３０を有し、内テープ走行系４０に代わる搬送ガイド６２８及びスクレーパ６２９を有する点において相違するものの、他の点については同様に構成されている。
【０２０３】
制御部６２１は、第１の実施の形態による制御部２１と同様、図示しないＣＰＵを中心に構成され、内部にＲＡＭ及びフラッシュメモリ等でなる記憶部を有している。テープ走行系６３０は、第１の実施の形態における外テープ走行系３０比較して、外テープ３１及び外リール３２に代えてテープ６３１及びリール６３２を有する点において相違するものの、他の点については同様に構成されている。
【０２０４】
このうちテープ６３１は、外テープ３１と同様、薄く細長いフィルム状に形成されており、始端部分がドラム２２の外周面に固定され、終端部分がリール６３２に固定されている。リール６３２は、外リール３２と同様に構成されており、テープ６３１が巻回されている。
【０２０５】
搬送ガイド６２８は、紙幣ＢＬの下面側を案内することで、当該紙幣を前後方向へ進行させる。スクレーパ６２９は、前後方向に長くなるよう形成されており、後端をテープ６３１の下側においてドラム２２の周側面に当接させている。
【０２０６】
かかる構成により一時保留部６１５は、ドラム２２を巻取方向Ｒ１へ回転させると、その周側面に紙幣ＢＬの外側からテープ６３１を重ねるようにして巻き付けていく。一時保留部６１５は、この巻付処理を繰り返すことにより、ドラム２２の周側面に紙幣を巻き付けながら紙幣ＢＬを収納していくことができる。
【０２０７】
また一時保留部６１５は、ドラム２２を巻戻方向Ｒ２へ回転させると共にリール６３２を所定の巻取方向へ回転させると、当該ドラム２２の周側面からテープ６３１を引き剥がす。このとき紙幣ＢＬは、スクレーパ６２９によりドラムの周側面から引き剥がされ、搬送ガイド６２８に沿って前方へ搬送され、繰り出される。一時保留部６１５は、このような巻戻処理を繰り返すことにより、ドラム２２の周側面に巻き付けていた紙幣ＢＬを順次引き剥がして繰り出していくことができる。
【０２０８】
またテープ走行系６３０には、テープ６３１の走行経路上における所定の検出箇所Ｐ、具体的にはリール６３２とプーリ３４との間に、第１の実施の形態と同様のテープセンサ３５が配置されている。一方、テープ６３１は、図７（Ａ）及び（Ｂ）と対応する図２４（Ａ）に示すように、始端部及び終端部の双方に遮光領域ＳＡが形成されている。
【０２０９】
因みに制御部６２１は、テープセンサ３５により遮光領域ＳＡを検出した場合、さらにドラム２２の回転方向を基に、これがテープ６３１の始端部又は終端部の何れであるかを判断するようになっている。
【０２１０】
例えば制御部６２１は、ドラム２２を巻取方向Ｒ１へ回転させているときに遮光領域ＳＡを検出した場合、既にテープ６３１が走行している以上、検出箇所Ｐに始端部が到達する可能性は極めて低いため、これを当該テープ６３１の終端部であると判断する。また制御部６２１は、ドラム２２を巻戻方向Ｒ２へ回転させているときに遮光領域ＳＡを検出した場合、既にテープ６３１が走行している以上、検出箇所Ｐに終端部が到達する可能性は極めて低いため、これを当該テープ６３１の始端部であると判断する。
【０２１１】
かかる構成において、制御部６２１は、第１の実施の形態と同様に、巻取処理手順ＲＴ１（図８）及び巻戻処理手順ＲＴ２（図９）に従い、巻取処理及び巻戻処理を行う。このため一時保留部６１５は、第１の実施の形態と同様、テープセンサ３５から得られる受光信号を基に、汚れ領域ＤＡを遮光領域ＳＡとを精度良く区別することができる。
【０２１２】
またその他の点についても、第７の実施の形態による一時保留部６１５は、第１の実施の形態による一時保留部１５と同様の作用効果を奏し得る。
【０２１３】
［８．他の実施の形態］
なお上述した第１の実施の形態においては、巻取処理及び巻戻処理において、互いに異なるしきい値ＳＫ１及びＳＫ２を用いる場合について述べた。しかしながら本発明はこれに限らず、例えば巻取処理及び巻戻処理において共通のしきい値を用いても良い。第２〜第７の実施の形態についても同様である。また第３の実施の形態においては、しきい値ＳＫ３及びＳＫ４についても同様である。
【０２１４】
また上述した第１の実施の形態においては、通常領域ＮＡにおける光の透過率を高めると共に、相違領域としての遮光領域ＳＡにおける光の透過率を低減させる場合について述べた。しかしながら本発明はこれに限らず、例えば通常領域における光の透過率を低減させ、相違領域における光の透過率を高めるようにしても良い。或いは、通常領域ＮＡにおける光の反射率を高めると共に、各テープの始端部及び終端部に相違領域としての非反射領域を設け、テープセンサ３５等において光の反射率を検出するようにしても良い。要は、光の照射に対する応答特性が変化することをセンサ等により検出できれば良い。第２〜第７の実施の形態についても同様である。
【０２１５】
さらに上述した第３の実施の形態においては、しきい値ＳＫ１及びＳＫ２とは別に設定したしきい値ＳＫ３及びＳＫ４をステップＳＰ８７（図１２）及びステップＳＰ１０７（図１３）においてそれぞれ用いる場合について述べた。しかしながら本発明はこれに限らず、例えばしきい値ＳＫ１及びＳＫ２にそれぞれ所定の係数を乗じた値をステップＳＰ８７（図１２）及びステップＳＰ１０７（図１３）においてそれぞれ用いるようにしても良い。
【０２１６】
さらに上述した第３の実施の形態としては、プレアラームを保守画面Ｄ１（図１４）やリモート保守監視画面Ｄ２（図１５）により、保守作業者等に文字情報により通知する場合について述べた。しかしながら本発明はこれに限らず、例えば警告灯の点灯や点滅のように光や色の変化により通知しても良く、またアラーム音や音声アナウンス等のように音を介して通知しても良く、さらにはこれらを組み合わせても良い。第６の実施の形態についても同様である。
【０２１７】
さらに上述した第３の実施の形態においては、一時保留部１５の制御部２２１から主制御部９へプレアラームを通知する場合について述べた。しかしながら本発明はこれに限らず、例えば主制御部９が定期的に制御部２２１と通信処理を行うことにより、当該制御部２２１からプレアラームを取得するようにしても良い。第６の実施の形態についても同様である。
【０２１８】
さらに上述した第６の実施の形態においては、しきい値ＳＫ１又はＳＫ２に相当する長さよりも短い汚れ領域ＤＡのうち最も長いものの長さを表す変数ＴＥｍａｘ及びＴＳｍａｘをそれぞれ主制御部９へ通知し、これを汚れ割合ＴＳＰ及びＴＥＰに換算した上で、大きい方の値を汚れ情報として保存する場合について述べた。しかしながら本発明はこれに限らず、例えば汚れ割合ＴＳＰ及びＴＥＰの双方を汚れ情報として保存しても良く、また変数ＴＥｍａｘ及びＴＳｍａｘに各テープの速度ＳＰＤを乗じて長さに換算した値のうち大きい方又はその双方を汚れ情報として保存しても良い。
【０２１９】
或いは、例えば受光信号が「暗」レベルから「明」レベルに変化したときのタイマ変数ＴＳ及びＴＥの値を累積加算することにより、汚れ領域ＤＡの長さの積算値に相当する値を算出し、この値を長さに変換した値やこの値を外テープ３１及び内テープ４１の全長により除算した値を、その双方又は何れか大きい方のみを保存するようにしても良い。
【０２２０】
さらに上述した第１の実施の形態においては、一時保留部１５の制御部２１において巻取処理手順ＲＴ１（図８）及び巻戻処理手順ＲＴ２（図９）を実行する場合について述べた。しかしながら本発明はこれに限らず、例えば紙幣制御部１１（図４）や主制御部９（図１）、或いはこれらが制御部２１と協働して実行するようにしても良い。第２〜第７の実施の形態についても同様である。また第６の実施の形態においては、汚れ比率ＴＳＰ及びＴＥＰの算出や両者の比較を制御部５２１で行うようにしても良い。
【０２２１】
さらに上述した第１の実施の形態においては、一時保留部１５に外テープ走行系３０及び内テープ走行系４０を１系統ずつ設ける場合について述べた。しかしながら本発明はこれに限らず、一時保留部１５に外テープ走行系３０及び内テープ走行系４０を２系統以上ずつ設けても良い。
【０２２２】
さらに上述した第１の実施の形態においては、ドラム２２を円筒状（円柱状）に形成する場合について述べた。しかしながら本発明はこれに限らず、例えばドラム２２を六角柱状や八角柱状等、種々の角柱状としても良い。第２〜第７の実施の形態についても同様である。
【０２２３】
さらに上述した第１の実施の形態においては、現金自動預払機１の紙幣入出金機１０に搭載される一時保留部１５に本発明を適用する場合について述べた。しかしながら本発明はこれに限らず、例えば金融機関の窓口等に設置されており主に金融機関の職員等が紙幣を入出する紙幣整理装置（いわゆるテラーマシン）に搭載される一時保留部等、他の種々の機器に組み込まれる一時保留部に本発明を適用しても良い。第２〜第７の実施の形態についても同様である。
【０２２４】
さらに上述した実施の形態においては、媒体としての紙幣ＢＬを外テープ３１及び内テープ４１と共にドラム２２の周側面に巻き付けて収納し、或いはこれを引き剥がして繰り出す場合について述べた。しかしながら本発明はこれに限らず、例えば各種金券や証券、或いは入場券や葉書等、種々の紙葉状の媒体をテープと共にドラムの周側面に巻き付けて収納する種々の収納装置に本発明を適用しても良い。第２〜第７の実施の形態についても同様である。
【０２２５】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０２２６】
さらに上述した第１の実施の形態においては、ドラムとしてのドラム２２と、テープとしての外テープ３１及び内テープ４１と、相違領域としての遮光領域ＳＡと、検出部としてのテープセンサ３５及び４５と、判断部としての制御部２１とによって媒体収納装置としての一時保留部１５を構成する場合について述べた。しかしながら本発明はこれに限らず、その他種々の構成でなるドラムと、テープと、相違領域と、検出部と、判断部とによって媒体収納装置を構成するようにしても良い。
【０２２７】
さらに上述した第１の実施の形態においては、ドラムとしてのドラム２２と、テープとしての外テープ３１及び内テープ４１と、相違領域としての遮光領域ＳＡと、検出部としてのテープセンサ３５及び４５と、判断部としての制御部２１及び主制御部９とによって媒体取引装置としての現金自動預払機１を構成する場合について述べた。しかしながら本発明はこれに限らず、その他種々の構成でなるドラムと、テープと、相違領域と、検出部と、判断部とによって媒体取引装置を構成するようにしても良い。
【産業上の利用可能性】
【０２２８】
本発明は、紙葉状の媒体をテープと共にドラムの周側面に巻き付けて収納し、またテープと共に当該媒体をドラムの周側面から引き剥がして繰り出す種々の装置でも利用できる。
【符号の説明】
【０２２９】
１……現金自動預払機、６……操作表示部、９……主制御部、１０……紙幣入出金機、１１……紙幣制御部、１５、１１５、２１５、３１５、４１５、５１５、６１５……一時保留部、２１、１２１、２２１、３２１、４２１、５２１、６２１……制御部、２２……ドラム、３０……外テープ走行系、３１……外テープ、３２……外リール、３５、４５……テープセンサ、４０……内テープ走行系、４１……内テープ、４２……内リール、６３０……テープ走行系、６３１……テープ、６３２……リール、ＢＬ……紙幣、ＮＡ……通常領域、ＳＡ……遮光領域、ＤＡ……汚れ領域、Ｐ、Ｐ１、Ｐ２……検出箇所、ＳＫ１、ＳＫ２、ＳＫ３、ＳＫ４、ＦＫ１、ＦＫ２……しきい値、ＳＰＤ……速度、ＴＥ、ＴＳ……タイマ変数、ＴＥＰ、ＴＳＰ……割合、ＴＥｍａｘ、ＴＳｍａｘ……変数、ＦＥ、ＦＳ……フラグ、Ｚ１……収納枚数、ＺＥ、ＺＳ……しきい値。
【図１】
2015225596.tif 000003
【図２】
2015225596.tif 000004
【図３】
2015225596.tif 000005
【図４】
2015225596.tif 000006
【図５】
2015225596.tif 000007
【図６】
2015225596.tif 000008
【図７】
2015225596.tif 000009
【図８】
2015225596.tif 000010
【図９】
2015225596.tif 000011
【図１０】
2015225596.tif 000012
【図１１】
2015225596.tif 000013
【図１２】
2015225596.tif 000014
【図１３】
2015225596.tif 000015
【図１４】
2015225596.tif 000016
【図１５】
2015225596.tif 000017
【図１６】
2015225596.tif 000018
【図１７】
2015225596.tif 000019
【図１８】
2015225596.tif 000020
【図１９】
2015225596.tif 000021
【図２０】
2015225596.tif 000022
【図２１】
2015225596.tif 000023
【図２２】
2015225596.tif 000024
【図２３】
2015225596.tif 000025
【図２４】
2015225596.tif 000026